(57)【要約】【課題】 見る角度を調節可能なノートPC作業台の提供。【解決手段】  底板７とパネル３からなり、該底板と該パネル前側はちょうつがい２により連結し、該底板と該パネルの後側には昇降装置を設け、該底板と該パネルの左右両側には伸縮式保護壁５，６を設ける。該パネルの前側には上向きに湾曲するガード板１を設けてノートＰＣの設置位置とし、該パネル上には複数の放熱開孔を設ける。後側は昇降式のパネル構造で、モーターなどにより回転駆動される双方向ボルト１０に嵌合する一対のナットスライドブロック上に立てた一対のスイングアーム９先端を連結して長軸を介してパネルを支持する。モーターにより回転する双方向ボルトにより一対のナットスライドブロックは反対方向に移動して先端の高さを変え、適切な高さにパネルを支持する。【選択図】図１
0003125695.tif 000002
【実用新案登録請求の範囲】
【請求項１】
底板とノートPCを載置するパネルからなり、
該底板と該パネル前側をちょうつがいにより連結すると共に、該底板と該パネルの後端側にはパネル昇降装置を設けてパネル傾斜角度を調整可能とし、
該パネルと該底板の左右両側には、互に摺動可能な扇形保護壁からなる伸縮式保護壁を設けて該扇形の後端部を連続した弧状とし、
該パネルの前側にはノートPCを支持する上向きに湾曲したガード板を設けたことを特徴とする傾斜角度を調節可能なノートPC作業台。
【請求項２】
前記パネル昇降装置は、該底板上に固設する駆動モーター、該駆動モーターの出力軸と同軸連結する双方向ボルト、該双方向ボルト上を摺動する一対のナットスライドブロック、該一対のナットスライドブロックと連結する２本のスイングアーム、該２本のスイングアーム上端をちょうつがいで連結すると共に該ちょうつがいを該パネル後端側下側に両端を軸台に支持された長軸に連結し、
さらに、少なくともスイングアームの一本の外側にこれと平行に平行棒を設けてその両端をそれぞれ該パネル後端側下側とナットスライドブロック上に連結して平行リンクを構成した、
ことを特徴とする請求項１記載の傾斜角度を調節可能なノートPC作業台。
【請求項３】
前記パネル昇降装置は、手動昇降装置であって、該底板上に固設する双方向ボルト、該双方向ボルト上を摺動する一対のナットスライドブロック、該一対のナットスライドブロックと連結する２本のスイングアーム、該２本のスイングアーム上端をちょうつがいで連結すると共に該ちょうつがいを該パネル後端側下側に両端を軸台に支持された長軸に連結し、
さらに、少なくともスイングアームの一本の外側にこれと平行に平行棒を設けてその両端をそれぞれ該パネル後端側下側とナットスライドブロック上に連結して平行リンクを構成し、
該双方向ボルトには変速装置を介して取外し式手動昇降スイングハンドルを設けた、ことを特徴とする請求項１記載の調節可能なノートPC作業台。
【考案の詳細な説明】
【技術分野】
【０００１】
本考案は、種の電子設備閲覧作業補助設備に関する。特に、閲覧面高さを調節可能なノートPC作業台に係る。
【背景技術】
【０００２】
ノートPC等の携帯型電子設備は、今日広く普及しており、多くの文書データが電子ファイルとして作成され、コンピュータ上で閲覧されるようになっている。
一方、デスクトップコンピュータは最も広く使用されているコンピュータではあるが、デスクトップコンピュータは重く、嵩張り、複雑で移動が困難であるため、使用の場がノートPCに比べて限られる。これに対してノートPCは、携帯して移動可能であって使用場所を限られず、任意にオフィスの机上で使用することもできるため、デスクトップコンピュータに替わる便利さがある。しかし、現在の事務机の机上高さはすべてデスクトップコンピュータの高さに合わせて設計されており、デスクトップコンピュータのモニター画面は一定の高さの底台を具えるため、使用者が前方へと向かい直視可能な区域内にデスクトップコンピュータのモニター画面が設定される。このため頭を下げることなく直接モニター画面上の文書を閲覧することができる。しかしながら、ノートPCは軽量で薄く、コンパクトという特長のため、事務机の高さに適した底台を持たない。よって、ノートPCのモニター画面は直接事務机上に置いたのと同様の状態となり、最大角に傾斜させても使用者はやはり頭を下げなければモニター画面を直視することはできない。不自然な姿勢でモニター画面上の文書を閲覧する状態が長期にわたれば、近視、斜視、頚椎の損傷、腰痛等使用者の身心の健康に重大な影響を及ぼす可能性がある。
同時にノートPCを机上に置いた時、平らに置いたならキーボードも水平となる。しかしこの高さでキーボードを使用する場合に最も適した形態は適当な傾斜角を具えることである。すなわち、該机上高さでキーボードを使用することにも、一定の困難が存在し、人体工学に適合するものではない。
本出願人は、頭を上げて自然な姿勢で閲覧可能な文書閲覧装置を既に多種考案しているが、ノートPC等電子設備の閲覧領域では類似の製品が開発されていない。よってノートPCの使用者が閲覧時にうつむき、また水平状態でキーボードを入力する環境における事務処理を続けることは、健康に重大な影響を及ぼし、本出願人が憂慮する点である。
【特許文献１】特許第３６７８１７６号公報
【考案の開示】
【考案が解決しようとする課題】
【０００３】
公知構造には以下の欠点があった。
すなわちデスクトップコンピュータの高さに合わせて設計されている現在の事務机で、事務机の高さに適した底台を持たないノートPCを使用すると、最大角に傾斜させても使用者は頭を下げなければモニター画面を直視することはできないため、この状態が長期にわたれば、近視、斜視、頚椎の損傷、腰痛等身心の健康に重大な影響を及ぼす可能性がある。さらに現在の事務机にノートPCを置けば、そのキーボードも水平となるため、該キーボードは人体工学上望ましい傾斜角を具えることはできず、このような状態でキーボードを入力し事務処理を続けることは、健康に重大な影響を及ぼす恐れがある。
本考案は、上記構造の問題点を解決した調節可能なノートPC作業台を提供するものである。
【課題を解決するための手段】
【０００４】
上記課題を解決するため、本考案は下記の調節可能なノートPC作業台を提供する。
それは主に調節可能なノートPC作業台を提供し、それは角度の調整が可能なノートPC作業台で、ノートPC使用者の閲覧と入力環境を改善可能で、頭を上げ閲覧し、傾斜状体でキーボードを入力する目的を実現することができ、
すなわち、底板とパネルから構成され、該底板と該パネル前側をちょうつがいにより連結し、該底板と該パネルの後端側には昇降装置を設置し、該底板と該パネルの左右両側には伸縮式保護壁を設置し、該伸縮保護壁は該パネルと該底板の左右両側に設置し、該底板上側と該パネル下側にはそれぞれ扇形保護壁を固設し、該扇形の端部は弧状保護壁で、その内該底板に設置する保護壁と該パネルに設置する保護壁間は相互に嵌設可能で、該パネルの前側にはノートＰＣ支持用の上向きに湾曲するガード板を設置し、
該昇降装置は、自動昇降装置で、該底板上に固設する駆動モーター、該駆動モーターの出力軸と同軸聯結する双方向ボルト、該双方向ボルト上に設置する２個のナットスライドブロック、該２個のナットスライドブロックと連結する２本のスイングアーム、該２本のスイングアームと連結するちょうつがいをからなり、該２本のスイングアームと連結するちょうつがいは該パネルの下側に固設し、その内少なくとも１本のスイングアームの外側には該スイングアームと平行の平衡棒を設置し、該平衡棒の両端はそれぞれ該パネル下側とナットスライドブロック上に連結し、その内該２本のスイングアームと連結するちょうつがいは長軸上に固設し、該長軸両端は軸台を通過し該パネルの下側に設置し、しかも回転可能で、
該昇降装置は手動昇降装置で、該底板上に固設する双方向ボルト、該双方向ボルト上に設置する２個のナットスライドブロック、該２個のナットスライドブロックと連結する２本のスイングアーム、該２本のスイングアームと連結するちょうつがいを含み、該２本のスイングアームと連結するちょうつがいは該パネルの下側に固設し、その内少なくとも１本のスイングアームの外側には該スイングアームと平行の平衡棒を設置し、該平衡棒の両端はそれぞれ該パネル下側とナットスライドブロック上に連結し、該双方向ボルト上には変速装置を設置し、該変速装置上には取外し式手動昇降スイングハンドルを設置し、その内該２本のスイングアームと連結するちょうつがいは長軸上に固設し、該長軸両端は軸台を通過し該パネルの下側に設置し、しかも回転可能で、
本考案のノートＰＣ作業台の後側は昇降式のパネル構造で、しかも自動的に角度を調整可能なため、本考案作業台上に置くノートPCの傾斜角度を便利に調整することができ、ノートPCの入力キーボードは前方へと一定程度傾斜し、使用者のキーボード操作の利便性は向上し、手や腕の疲労を軽減可能で、同時にモニター画面も一定程度高さが上がるため、使用者の前方への視線角度も変化させることができ、使用者は頭を上げモニター画面上の文書を閲覧可能となり、ノートPC使用者の閲覧、入力習慣を変えることができ、近視、斜視、頚椎の損傷、腰痛の発生を防止しノートPC使用者の身心の健康に利益をもたらすことを特徴とする調節可能なノートPC作業台である。
【考案の効果】
【０００５】
上記のように、本考案のノートPC作業台の構造が、後側が昇降式のパネル構造で、しかも自動的に角度を調整可能なため、本考案の作業台上に置くノートPCの傾斜角度を便利に調整することができ、ノートPCのキーボードは前方に向けて適切な角度を付与して使用者のキーボード操作が便利になり、手や腕の疲労を軽減可能で、同時にモニター画面も一定程度高さが上がるため、使用者の前方への視線角度も適切に変化させることができる。
【考案を実施するための最良の形態】
【０００６】
図1に示すように、実施例一の作業台は底板7、パネル3により構成する。
該底板7とパネル3の前側はちょうつがい2により連結し、該パネル3の前側には上方へと湾曲そたガード板1を設けてノートPCの設置位置を固定する。該パネル3上はノートPCを載置するものとし、放熱の必要から、該パネル3上には複数の放熱孔4を貫通して開設する。また美観のため、該パネル3と該底板7間には伸縮式保護壁5、6を設けてそれぞれ該パネル3と該底板7の左右両側に設置する。該保護壁5、6はそれぞれ扇形をなし、後端部は連続した弧状とする。該保護壁は本考案の内部機械装置を遮蔽し、外見の美観を保持する。
【０００７】
次に図2、3に示すように、本考案のパネル3の傾斜角度を調整するため、該パネル3と該底板7間には自動昇降装置を設ける。該自動昇降装置は、該パネル3と該底板7の後側に設置する。該昇降装置は、駆動モーター17、ベアリング16、双方向ボルト10（１８，２０）、一対のナットスライドブロック15、スイングアーム9により構成する。該双方向ボルト10の左部分は右スクリュー18で、右部分は左スクリュー20で、間は無ネジ山区19である。該双方向ボルト10は、該左右ベアリング16間に設置し、該左右ベアリング16は該底板7上に固設されて双方向ボルトを支持する。該モーター17は、該底板7上に配置し、該モーターの出力軸は該双方向ボルト10に同軸連結する。該双方向ボルト10の左右両部分にはそれぞれナットスライドブロック15を設置し、該双方向ボルト10の両部分は反対方向のネジ山であるため、該ボルトが回転すると、２個のナットスライドブロック15はそれぞれ反対方向に移動する。該２個のナットスライドブロック15上にはそれぞれちょうつがい14を介して２本のスイングアーム9を連結し、２本のスイングアーム9の上端は相互にちょうつがい13により連結する。同時に該ちょうつがい13は、該パネル3の後端部下面の円形長軸8上に連結し、該長軸8は一対の軸台11により該パネル上に固定される。こ構成により、モーターがボルトを回転駆動すると、２個のナットスライドブロック15は相互に接近或いは離れ、それにつれて２本のスイングアーム9上端は昇降してパネル3後側を昇降させる。該パネル3と該底板7の前端は連結されていて該パネル3の傾斜角度を調整可能であるため、パネル３上に載置したノートPCの傾斜角度を調整可能で、必要に応じて自動的に作業に適した角度に調整することができる。
【０００８】
続いて図2に示すように、該パネル3後側昇降の安定性を保持するため、該ナットスライドブロック15と該パネル3後端部下側の長軸8間には別に平衡棒12を設ける。該平衡棒12の上端は該長軸8上に連結し、下端は該ナットスライドブロック15上に連結し、その状態でスイングアーム9は平行リンクを構成し、その作用により該パネル3の左右を平行に保つ。
また、本実施例の作業台はさらに電源とスイッチを設置する。電源は内蔵電池、又は外部電源線により、スイッチは本実施例製品の見やすい位置に設置する。本実施例の構造は、モーター軸が双方向ボルトを直接連結するが、変速装置と双方向ボルトを通すことによって回転距離と回転速度を調整可能である。
本実施例作業台の使用時には、先ずノートPCを該パネル3の上面に載置し、モニター画面を開き、角度を決めた後、スイッチによりモーター17の回転を制御し、該パネル3の角度を一定の範囲内で調整する。こうしてノートPCモニター画面の高さを調整し、前方に向かってモニター画面上の文書を直視して閲覧することができる。同時にノートPCキーボードの前傾角度を調整し、使用者のキーボード操作の利便を図る。使用しない時には、該パネル3は最も低い位置に下降し、体積を縮小させる。
【０００９】
本考案製品の目的は一定範囲内においてモニター画面高さとキーボードの傾斜角度を調整可能とし、異なる高さの机上と異なる身長の使用者に適合するようにすることである。
さらに図4に示す実施例二は、実施例一と基本構造は同一である。両者の差異は実施例一の構造を基礎とし、電動駆動昇降装置を手動駆動昇降装置とし、モーター17を省略し、変速装置を加え取外し式のスイングハンドル21構造に変える点である。必要時には該スイングハンドル21を挿し込みスイングし昇降させる。
本実施例はまた変速装置を該スイングハンドル21と該双方向ボルト間に設置し、回転距離と回転速度の調整に用いることができる。
【図面の簡単な説明】
【００１０】
【図１】本考案の実施例一の外観立体構造指示図である。
【図２】本考案の実施例一の側面構造指示図である。
【図３】本考案の実施例一の後ろ側構造指示図である。
【図４】本考案の実施例二の後ろ側構造指示図である。
【符号の説明】
【００１１】
1  ガード板
2  ちょうつがい
3  パネル
4  放熱孔
5、6  保護壁
7  底板
8  長軸
9  スイングアーム
10  双方向ボルト
11  軸台
12  平衡棒
13、14  ちょうつがい
15  ナットスライドブロック
16  ベアリング
17  モーター
18  右スクリュー
19  無ネジ山区
20  左スクリュー
21  スイングハンドル
【図１】
0003125695.tif 000003
【図２】
0003125695.tif 000004
【図３】
0003125695.tif 000005
【図４】
0003125695.tif 000006